(57)【要約】【課題】検査時における開封容易性を確保しながら、不正行為の痕跡が残り易くすること。【解決手段】封印具と、該封印具が挿入されて嵌合する挿嵌部と、遊技台の構成部品と前記挿嵌部とを連結し、開封時に切断される連結部と、を備えた遊技台構成部品用の封印構造において、前記構成部品と前記挿嵌部との少なくともいずれか一方に接続された部分と、前記構成部品と前記挿嵌部との連結を断つ非連結部と、を有し、前記構成部品と前記挿嵌部とを連結する部分と見せかけたダミー連結部と、前記非連結部を覆って隠蔽し、外観上前記連結部と前記ダミー連結部との区別を困難とする被覆部と、を備えたことを特徴とする。【選択図】図４
2011143178.tif 000002
【特許請求の範囲】
【請求項１】
封印具と、該封印具が挿入されて嵌合する挿嵌部と、遊技台の構成部品と前記挿嵌部とを連結し、開封時に切断される連結部と、を備えた遊技台構成部品用の封印構造において、
前記構成部品と前記挿嵌部との少なくともいずれか一方に接続された部分と、前記構成部品と前記挿嵌部との連結を断つ非連結部と、を有し、前記構成部品と前記挿嵌部とを連結する部分と見せかけたダミー連結部と、
前記非連結部を覆って隠蔽し、外観上前記連結部と前記ダミー連結部との区別を困難とする被覆部と、
を備えたことを特徴とする遊技台構成部品用の封印構造。
【請求項２】
前記被覆部が前記連結部の一部も覆って隠蔽することを特徴とする請求項１に記載の遊技台構成部品用の封印構造。
【請求項３】
前記封印具が前記被覆部を有することを特徴とする請求項１又は２に記載の遊技台構成部品用の封印構造
【請求項４】
前記ダミー連結部のうち、前記非連結部以外の部分は、前記連結部と形状及び材質が同じであることを特徴とする請求項１乃至３のいずれか１項に記載の遊技台構成部品用の封印構造。
【請求項５】
前記遊技台構成部品が基板ケースであり、
前記基板ケースは、
前記挿嵌部が内側に配置される開口部を備え、
前記連結部は、前記開口部の内壁と前記挿嵌部とを連結することを特徴とする請求項１乃至４のいずれか１項に記載の遊技台構成部品用の封印構造。
【請求項６】
前記ダミー連結部は、
前記開口部の前記内壁に接続され、該内壁から前記挿嵌部に延設される一方、前記挿嵌部とは接続されない部分を有し、この部分と前記挿嵌部との空隙により前記非連結部分が形成されていることを特徴とする請求項５に記載の遊技台構成部品用の封印構造。
【請求項７】
前記遊技台に設けられ、前記基板ケースが装着される基板ケース装着部を備え、
前記封印具は前記挿嵌部を貫通し、
前記基板ケース装着部は、前記挿嵌部を貫通した前記封印具の先端が挿入される孔部を有することを特徴とする請求項５又は６に記載の遊技台構成部品用の封印構造。
【請求項８】
前記基板ケースが、第１のケース部材と第２のケース部材とを組み合わせて構成され、
前記封印具は、前記第１及び第２のケース部材を分離不能とすることを特徴とする請求項５又は６に記載の遊技台構成部品用の封印構造。
【発明の詳細な説明】
【技術分野】
【０００１】
本発明は、スロットマシン（パチスロ）、パチンコ機等の遊技台に関し、特に遊技台構成部品の封印構造に関する。
【背景技術】
【０００２】
一般にスロットマシン（パチスロ）に代表される遊技台では、その一部の構成部品が不正に改変されることを防止するため、封印構造が採用されている。例えば、遊技台の制御基板は不正に改変されることを防止する必要があるため、基板ケースに収納されて遊技台内部に封止されている。一方、制御基板はその改変がないことを公的機関が確認するため、複数回検査に付される。このため、制御基板を基板ケースに収納して封印するにあたっては、検査時には開封が容易である一方で、不正に開封されたか否かの痕跡が容易に判別可能であることが求められる。
【０００３】
このような封印構造としては、基板ケースを分解して開封しようとすると痕跡が残るようにしたもの（例えば、特許文献１）や、基板ケース自体を遊技台から取り外そうとすると痕跡が残るようにしたものが提案されている。いずれの構造の場合も、封印具と、封印具が挿入されて嵌合する挿嵌部と、基板ケースと挿嵌部とを連結し、開封時に切断される連結部と、を有する。これらは、例えば、予定されている検査回数分だけ設けられている。
【０００４】
そして、検査時には封印具が嵌合している挿嵌部を連結する連結部を切断し、封印具ごと挿嵌部を取り外すことで封印を解いて検査する。検査終了時には、未使用の挿嵌部に対して封印具を挿入して嵌合し、再び制御基板を封印する。連結部に切断痕が残ることから、検査回数と、切断された連結部の数と、が合わない場合に不正行為がなされたと判断できる。
【先行技術文献】
【特許文献】
【０００５】
【特許文献１】特開２００３−２６５８１２号公報
【発明の概要】
【発明が解決しようとする課題】
【０００６】
しかしながら、レーザカッターやニクロム線カッター等を使用することで、切断痕が目立たないように連結部を切断する不正行為が横行しつつあり、その対策が望まれている。
【０００７】
本発明の目的は、検査時における開封容易性を確保しながら、不正行為の痕跡が残り易くすることにある。
【課題を解決するための手段】
【０００８】
本発明によれば、封印具と、該封印具が挿入されて嵌合する挿嵌部と、遊技台の構成部品と前記挿嵌部とを連結し、開封時に切断される連結部と、を備えた遊技台構成部品用の封印構造において、前記構成部品と前記挿嵌部との少なくともいずれか一方に接続された部分と、前記構成部品と前記挿嵌部との連結を断つ非連結部と、を有し、前記構成部品と前記挿嵌部とを連結する部分と見せかけたダミー連結部と、前記非連結部を覆って隠蔽し、外観上前記連結部と前記ダミー連結部との区別を困難とする被覆部と、を備えたことを特徴とする遊技台構成部品用の封印構造が提供される。
【発明の効果】
【０００９】
本発明によれば、検査時における開封容易性を確保しながら、不正行為の痕跡が残り易くすることができる。
【図面の簡単な説明】
【００１０】
【図１】本発明の実施形態に係る封印構造を適用したスロットマシン１００の外観斜視図。
【図２】基板ケース２０の斜視図。
【図３】封印構造４０の分解斜視図。
【図４】（ａ）は封印構造４０の拡大正面図（封印具４１無し）、（ｂ）は封印構造４０の拡大正面図（封印具４１による封印時）。
【図５】図４（ｂ）の線Ｘ−Ｘに沿う断面図。
【図６】基板ケース２０の背板１０１ａへのその取り付け構造の説明図。
【図７】封印構造４０の他の構成例の説明図。
【図８】（ａ）及び（ｂ）は封印構造４０の他の構成例の説明図。
【図９】（ａ）及び（ｂ）は封印構造４０の他の構成例の説明図。
【図１０】封印構造４０の他の構成例の説明図。
【図１１】コネクタに対する封印構造を適用した例の説明図。
【発明を実施するための形態】
【００１１】
＜第１実施形態＞
図１は本発明の実施形態に係る封印構造を適用したスロットマシン１００の外観斜視図である。本実施形態ではスロットマシンに本発明を適用した例を例示するが、本発明の封印構造はパチンコ機等、他の遊技台にも適用可能である。
【００１２】
＜全体構成＞
図１に示すスロットマシン１００は、本体１０１と、本体１０１の正面に取り付けられ、本体１０１に対して開閉可能な前面扉１０２と、を備える。本体１０１の中央内部には、（図示省略）外周面に複数種類の図柄が配置されたリールが３個（左リール１１０、中リール１１１、右リール１１２）収納され、スロットマシン１００の内部で回転できるように構成されている。これらのリール１１０乃至１１２はステッピングモータ等の駆動装置により回転駆動される。
【００１３】
本実施形態において、各図柄は帯状部材に等間隔で適当数印刷され、この帯状部材が所定の円形筒状の枠材に貼り付けられて各リール１１０乃至１１２が構成されている。リール１１０乃至１１２上の図柄は、遊技者から見ると、図柄表示窓１１３から縦方向に概ね３つ表示され、合計９つの図柄が見えるようになっている。そして、各リール１１０乃至１１２を回転させることにより、遊技者から見える図柄の組み合せが変動することとなる。つまり、各リール１１０乃至１１２は複数種類の図柄の組み合せを変動可能に表示する表示装置として機能する。なお、このような表示装置としてはリール以外にも液晶表示装置等の電子画像表示装置も採用できる。また、本実施形態では、３個のリールをスロットマシン１００の中央内部に備えているが、リールの数やリールの設置位置はこれに限定されるものではない。
【００１４】
各々のリール１１０乃至１１２の背面には、図柄表示窓１１３に表示される個々の図柄を照明するためのバックライト（図示省略）が配置されている。バックライトは、各々の図柄ごとに遮蔽されて個々の図柄を均等に照射できるようにすることが望ましい。なお、スロットマシン１００内部において各々のリール１１０乃至１１２の近傍には、投光部と受光部から成る光学式センサ（図示省略）が設けられており、この光学式センサの投光部と受光部の間をリールに設けられた一定の長さの遮光片が通過するように構成されている。このセンサの検出結果に基づいてリール上の図柄の回転方向の位置を判断し、目的とする図柄が入賞ライン上に表示されるようにリール１１０乃至１１２を停止させる。
【００１５】
入賞ライン表示ランプ１２０は、有効となる入賞ライン１１４を示すランプである。有効となる入賞ラインは、遊技媒体としてベットされたメダルの数によって予め定まっている。入賞ライン１１４は５ラインあり、例えば、メダルが１枚ベットされた場合、中段の水平入賞ラインが有効となり、メダルが２枚ベットされた場合、上段水平入賞ラインと下段水平入賞ラインが追加された３本が有効となり、メダルが３枚ベットされた場合、右下り入賞ラインと右上り入賞ラインが追加された５ラインが入賞ラインとして有効になる。なお、入賞ライン１１４の数については５ラインに限定されるものではなく、また、例えば、メダルが１枚ベットされた場合に、中段の水平入賞ライン、上段水平入賞ライン、下段水平入賞ライン、右下り入賞ラインおよび右上り入賞ラインの５ラインを入賞ラインとして有効としてもよい。
【００１６】
告知ランプ１２３は、例えば、入賞役の内部抽選において特定の入賞役（具体的には、ボーナス）に内部当選していること、または、ボーナス遊技中であることを遊技者に知らせるランプである。遊技メダル投入可能ランプ１２４は、遊技者が遊技メダルを投入可能であることを知らせるためのランプである。再遊技ランプ１２２は、前回の遊技において入賞役の一つである再遊技に入賞した場合に、今回の遊技が再遊技可能であること（メダルの投入が不要であること）を遊技者に知らせるランプである。リールパネルランプ１２８は演出用のランプである。
【００１７】
ベットボタン１３０乃至１３２は、スロットマシン１００に電子的に貯留されているメダル（クレジットという）を所定の枚数分投入するためのボタンである。本実施形態においては、ベットボタン１３０が押下される毎に１枚ずつ最大３枚まで投入され、ベットボタン１３１が押下されると２枚投入され、ベットボタン１３２が押下されると３枚投入されるようになっている。以下、ベットボタン１３２はＭＡＸベットボタンとも言う。なお、遊技メダル投入ランプ１２９は、投入されたメダル数に応じた数のランプを点灯させ、規定枚数のメダルの投入があった場合、遊技の開始操作が可能な状態であることを知らせる遊技開始ランプ１２１が点灯する。
【００１８】
メダル投入口１４１は、遊技を開始するに当たって遊技者がメダルを投入するための投入口である。すなわち、メダルの投入は、ベットボタン１３０乃至１３２により電子的に投入することもできるし、メダル投入口１３４から実際のメダルを投入（投入操作）することもでき、投入とは両者を含む意味である。メダル投入口１４１に投入されたメダルは、スロットマシン１００の内部に設けられたメダルセレクタを通過し、正規メダルの選別がなされると共に、メダルの通過が検出される。
【００１９】
貯留枚数表示器１２５は、スロットマシン１００に電子的に貯留されているメダルの枚数を表示するための表示器である。遊技情報表示器１２６は、各種の内部情報（例えば、ボーナス遊技中のメダル払出枚数）を数値で表示するための表示器である。払出枚数表示器１２７は、何らかの入賞役に入賞した結果、遊技者に払出されるメダルの枚数を表示するための表示器である。貯留枚数表示器１２５、遊技情報表示器１２６、および、払出枚数表示器１２７は、７セグメント（ＳＥＧ）表示器とした。
【００２０】
スタートレバー１３５は、リール１１０乃至１１２の回転を開始させるためのレバー型のスイッチである。即ち、メダル投入口１３４に所望するメダル枚数を投入するか、ベットボタン１３０乃至１３２を操作して、スタートレバー１３５を操作すると、リール１１０乃至１１２が回転を開始することとなる。スタートレバー１３５に対する操作を遊技の開始操作と言う。
【００２１】
ストップボタンユニット１３６には、ストップボタン１３７乃至１３９が設けられている。ストップボタン１３７乃至１３９は、スタートレバー１３５の操作によって回転を開始したリール１１０乃至１１２を個別に停止させるためのボタン型のスイッチであり、各リール１１０乃至１１２に対応づけられている。以下、ストップボタン１３７乃至１３９に対する操作を停止操作と言い、最初の停止操作を第１停止操作、次の停止操作を第２停止操作、最後の停止操作を第３停止操作という。なお、各ストップボタン１３７乃至１３９の内部に発光体を設けてもよく、ストップボタン１３７乃至１３９の操作が可能である場合、該発光体を点灯させて遊技者に知らせることもできる。
【００２２】
メダル返却ボタン１３３は、投入されたメダルが詰まった場合に押下してメダルを取り除くためのボタンである。精算ボタン１３４は、スロットマシン１００に電子的に貯留されたメダル、ベットされたメダルを精算し、メダル払出口１５５から排出するためのボタンである。ドアキー孔１４０は、スロットマシン１００の前面扉１０２のロックを解除するためのキーを挿入する孔である。
【００２３】
ストップボタンユニット１３６の下部には、機種名の表示と各種証紙の貼付とを行うタイトルパネル１６２が設けられている。タイトルパネル１６２の下部には、メダル払出口１５５、メダルの受け皿１６１が設けられている。
【００２４】
音孔１８０はスロットマシン１００内部に設けられているスピーカの音を外部に出力するための孔である。前面扉１０２の左右各部に設けられたサイドランプ１４４は遊技を盛り上げるための装飾用のランプである。前面扉１０２の上部には演出装置１６０が配設されており、演出装置１６０の上部には音孔１４３が設けられている。この演出装置１６０は、水平方向に開閉自在な２枚の右シャッタ１６３ａ、左シャッタ１６３ｂからなるシャッタ（遮蔽装置）１６３と、このシャッタ１６３の奥側に配設された液晶表示装置１５７（図示省略、演出画像表示装置）を備えており、右シャッタ１６３ａ、左シャッタ１６３ｂが液晶表示装置１５７の手前で水平方向外側に開くと液晶表示装置１５７（図示省略）の表示画面がスロットマシン１００正面（遊技者側）に出現する構造となっている。
【００２５】
なお、液晶表示装置でなくとも、種々の演出画像や種々の遊技情報を表示可能に構成されていればよく、例えば、複数セグメントディスプレイ（７セグディスプレイ）、ドットマトリクスディスプレイ、有機ＥＬディスプレイ、プラズマディスプレイ、リール（ドラム）、或いは、プロジェクタとスクリーンとからなる表示装置等でもよい。
【００２６】
また、表示画面は、方形をなし、その全体を遊技者が視認可能に構成している。本実施形態の場合、表示画面は長方形であるが、正方形でもよい。また、表示画面の周縁に不図示の装飾物を設けて、表示画面の周縁の一部が該装飾物に隠れる結果、表示画面が異形に見えるようにすることもできる。表示画面は本実施形態の場合、平坦面であるが、曲面をなしていてもよい。
【００２７】
係る構成のスロットマシン１００では、遊技者がメダルを投入し、スタートレバー１３５に対して開始操作を行うと、リール１１０乃至１１２が一斉に回転すると共に入賞役の内部抽選が行われる。続いて、ストップボタン１３７乃至１３９に対する遊技者の各停止操作が行われると、対応するリールの回転を停止させる。このとき、内部抽選結果に応じたリールの停止制御が行われる。そして、全リール１１０乃至１１２停止時にこれらのリールにより表示された図柄の組み合わせがいずれかの入賞役に対応する図柄の組み合わせであった場合にはその入賞役に入賞し、入賞した入賞役にメダルの払い出しが定められている場合はメダルが払い出される。このようなスロットマシン１００の遊技の制御は、ＣＰＵ等を搭載した制御基板により行われる。以下、制御基板の封印構造について説明する。
【００２８】
＜制御基板の封印構造＞
図２は、スロットマシン１００の内部に設けられ、制御基板を収容する基板ケース２０の斜視図である。制御基板は、ＣＰＵ、ＲＯＭ、ＲＡＭ等のＩＣ（集積回路）や抵抗等の各種電子部品が実装された基板であり、スロットマシン１００の制御を司る。制御基板は基板ケース２０にその大部分が収容されるが、コネクタＣ等は基板ケース２０の開口部を通して外部に露出するようになっている。
【００２９】
基板ケース２０は、上ケース部材２１と下ケース部材２２とを組み合わせて構成されており、その内部に制御基板を収容する。上ケース部材２１と下ケース部材２２とには、これらを嵌め合わせるための幾つかの係止部２３が設けられ、対応する係止部２３を互いに係止することで基板ケース２０が完成する。上ケース部材２１及び下ケース部材２２は、例えば、透明（無色、有色）なプラスチック材料からなる。
【００３０】
基板ケース２０は、封印構造３０及び４０を有する。封印構造３０は、本実施形態の場合、従来式の封印構造であるが、後述する封印構造４０と同様の構成としてもよい。封印構造３０は、封印具３１と、封印具３１が挿入されて嵌合する挿嵌部３３と、を備える。挿嵌部３３に封印具３１を挿入して嵌合することで封印状態となり、封印時には封印具３１の先端が、基板ケース２０の背面に突出する構成である。上ケース部材２１は開口部３２を有しており、挿嵌部３３は複数の連結部３４を介して、開口部３２の内壁に連結されている。開封は、全ての連結部３４を切断して封印具３１を挿嵌部３３と共に取り出すことで行う。
【００３１】
封印構造４０は、封印原理そのものは封印構造３０と同様であるが、不正行為の痕跡が残り易い構造を有している。以下、図３乃至図５を参照して封印構造４０の構成を説明する。図３は封印構造４０の分解斜視図、図４（ａ）は封印構造４０の拡大正面図（封印具４１無し）、図４（ｂ）は封印構造４０の拡大正面図（封印具４１による封印時）、図５は図４（ｂ）の線Ｘ−Ｘに沿う断面図である。
【００３２】
封印構造４０は、封印具４１と封印具４１が挿入されて嵌合する挿嵌部４３と、を備える。封印具４１は、全体としてピン状に形成されており、挿嵌部４３の中心に設けられた嵌合孔に挿入される軸状の挿入部４１２と、挿入部４１２の後端部に設けられた円板状の被覆部４１１と、を備える。図５に示すように下ケース部材２２には、開口部４６が形成されており、封印時には挿入部４１２がこの開口部４６を通過して、その先端４１２ａが基板ケース２０の背面に突出する。
【００３３】
挿入部４１２には、相対的に先端部４１２ａ側のかえし部４１２ｂと相対的に被覆部４１１側のかえし部４１２ｃとを備える。図５に示すように、封印時にはかえし部４１２ｃが挿嵌部４３の嵌合孔内の係止部４３１と係合状態となって、封印具４１が挿嵌部４３から抜けないようになっている。かえし部４１２ｂは、未封印時において封印具４１を挿嵌部４３に対して半挿入状態とした場合に、係止部４３１に係合させて封印具４１が挿嵌部４３から抜けないようにするものであって、封印具４１の紛失を防止するために単に挿嵌部４３から脱落しないようにしたものである。この状態では先端部４１２ａは基板ケース２０の背面から突出しない。
【００３４】
挿嵌部４３は円筒状をなしており、基板ケース２１に設けた円形の開口部４２の内側に配置されている。挿嵌部４３は複数の連結部４４を介して開口部４２の内壁に連結されている。本実施形態の場合、連結部４４は挿嵌部４３から放射状に形成されている。
【００３５】
ダミー連結部４５は、挿嵌部４３と基板ケース２１とを連結する部分と見せかける部分である。本実施形態の場合、ダミー連結部４５は、その一方端部が開口部４２の内壁に接続され、該内壁から挿嵌部４３へ向かって、特に挿嵌部４３の放射線上に延設された部分を有しており、その部分の他方端部は挿嵌部４３には接続されておらず空隙となって、非連結部分４５ａを形成している。
【００３６】
挿嵌部４３と基板ケース２１とを連結する部分と見せかけるためには、ダミー連結部４５は必ずしも連結部４４を模したものである必要はないが、連結部４４とダミー連結部４５との区別をより困難にする点で、非連結部分４５ａを除いて連結部４４を模したものであることが好ましく、特に、本実施形態のように非連結部分４５ａを除いて形状を同じものとし、更に、連結部４４と同じ材質とすることが好ましい。なお、本実施形態の場合、挿嵌部４３、連結部４４及びダミー連結部４５は基板ケース２１に一体的に形成されており、同じ材質である。
【００３７】
図４（ｂ）に示すように、被覆部４１１は不透明な材料又は着色されたものからなり、非連結部分４５ａを覆って隠蔽するよう、その形状、大きさが設定されている。非連結部分４５ａが覆われて隠蔽されることで、外観上、連結部４４とダミー連結部４５との区別が困難となる。本実施形態の場合、被覆部４１１を封止具４１に形成したので、封止具４１１の挿入作業によって同時に被覆部４１１による非連結部分４５ａが覆われるので、隠蔽作業を同時にできる。
【００３８】
本実施形態の場合、図４（ｂ）に示すように、被覆部４１１は非連結部分４５ａのみならず、連結部４４の一部も覆って隠蔽している。これは、連結部４４とダミー連結部４５との区別を一層困難とする。加えて、連結部４４と、ダミー連結部４５側とで、被覆部４１１で覆う部位を共通としているので（挿嵌部４３側の一定領域）、連結部４４とダミー連結部４５との区別を更に困難とする。
【００３９】
また、本実施形態の場合、図５に示すように、被覆部４１１の背面と連結部４４（及び同図で不図示のダミー連結部４５）とが、隙間無く接するようにしているので、斜めから見る等して非連結部分４５ａの存在を外部から確認しずらいようにしている。これは連結部４４とダミー連結部４５との区別を更に困難とする。
【００４０】
図６を参照して、基板ケース２０のスロットマシン１００への取り付け構造について説明する。図６は基板ケース２０の背板１０１ａへのその取り付け構造の説明図である。基板ケース２０は、基板ケース装着部１０を介して本体部１０１の背板１０１ａに支持される。
【００４１】
基板ケース装着部１０は、基板ケース２０が装着される、正面側が開放した凹部１１を備える。凹部１１の底面１１ａには、封印構造３０、４０の各位置に合わせて設けられた孔１２が形成されている。孔１２には封印時に封印具３０の先端又は封印具４０の先端４１２ａが挿入される。凹部１１は基板ケース２０よりも幅が大きくなっており、基板ケース２０は凹部１１内で一定量、左右にスライドすることができる。
【００４２】
凹部１１の左右の側部には、内側に突出した突出片１３、１３が形成されており、この突出片１３、１３は凹部１１内の基板ケース２０が奥行き方向に移動することを規制する。
【００４３】
しかして、基板ケース２０を凹部１１に装着する場合には、突出片１３、１３を避けるようにして、基板ケース２０を斜めにして凹部１１に挿入し、同図矢印に示すように凹部１１内で左側にスライドさせる。基板ケース２０を凹部１１から取り外す場合には、この逆の手順となる。
【００４４】
封印時には、封印構造３０、４０のうち未使用のいずれかを用いる。封印構造４０を用いる場合を説明すると、封印具４１を挿嵌部４３に挿入し、その先端４１２ａを対応する孔１２に挿入する。これにより基板ケース２０が基板ケース装着部１０の凹部１１内で左右にスライドできなくなり、かつ、奥行き方向には突出片１３、１３で移動が規制されるので、取り外せなくなる。こうして基板ケース２０が封印される。
【００４５】
開封時には、全ての連結部４４を切断して封印具４１を挿嵌部４３と共に上ケース部材２１から取り出すことで行う。しかし、本実施形態の場合、被覆部４１１の存在により、連結部４４とダミー連結部４５との区別が外観上、困難となっている。不正行為を働く者は、ダミー連結部４５が存在すること自体知らないか、或いは、連結部４４がどれであるかを知らないので、勘で連結部４４を切断することになる。誤っていずれかのダミー連結部４５を切断すると、その切断痕が残る。特に、切断片が落下してしまうことから、切断痕が明確に残り易い。
【００４６】
したがって、封印構造４０では不正行為の痕跡を残り易くすることができる。また、開封は連結部４４の切断のみで、従来と変わらないので、検査時における開封容易性も確保される。
【００４７】
＜第２実施形態＞
上記第１実施形態では、被覆部４１１によって、ダミー連結部４５の非連結部分４５ａとその周辺を覆うようにしたが、ちょうど非連結部分４５ａのみを覆うようにしてもよい。図７はそのような例を示す、封印構造４０の他の構成例の説明図である。同図において、上記第１実施形態と同じ構成については同じ符号を付して説明を割愛する。
【００４８】
図７の例では、ダミー連結部４５の、開口部４２の内壁から延設した部分の開放端（非連結部分４５ａ側の端部）の位置が被覆部４１１の周縁に略一致するように、この延設部分の長さ（又は被覆部４１１の大きさ）が設定されている。このような構成であっても、少なくとも正面視においては、連結部４４とダミー連結部４５との区別を困難とすることができる。
【００４９】
＜第３実施形態＞
上記第１及び第２実施形態では、ダミー連結部４５を開口部４２の内壁に接続した部分を有する構成としたが、挿嵌部４３に接続した部分を有する構成としてもよい。図８（ａ）及び（ｂ）はそのような例を示す、封印構造４０の他の構成例の説明図である。同図において、上記第１実施形態と同じ構成については同じ符号を付して説明を割愛する。図８（ａ）は封印時の状態を示し、図８（ｂ）は封印時において、被覆部４１１を透視した図である。
【００５０】
図８の例では、ダミー連結部４５は挿嵌部４３から延設された部分を有しており、非連結部分４５ａはこの延設部分と開口部４２の内壁との間に形成されている。
【００５１】
被覆部４１１は、挿嵌部４３の端面よりも小さい円形の中央部分４１１ａと、非連結部分４５ａを覆って隠蔽する周縁部分４１１ｂと、中央部分４１１ａと周縁部分４１１ｂとを連結する複数の連結部分４１１ｃとを有する。
【００５２】
このように、ダミー連結部４５を開口部４２の内壁から延設した部分を有する構成としても、上記第１実施形態と同様の効果が得られる。なお、非連結部分４５ａは、上記第１、第２実施形態のように挿嵌部４３側に形成する構成、本実施形態のように開口部４２の内壁側形成する構成のほか、連結部４４で言えば、その中央部分に形成される構成（開口部４２の内壁に接続される部分と、挿嵌部４３に接続される部分と、があるが両者が接続されていない構成）であってもよく、つまり、ダミー連結部４５は、開口部４２の内壁と挿嵌部４３との少なくともいずれか一方に接続された部分を有しておれば、挿嵌部４３と基板ケース２１とを連結する部分と見せかけることができる。
【００５３】
＜第４実施形態＞
上記第１乃至第３実施形態では、被覆部４１１を封印具４１に設けたが、封印具４１とは別に設けてもよい。図９（ａ）及び（ｂ）はそのような例を示す、封印構造４０の他の構成例の説明図である。同図において、上記第１実施形態と同じ構成については同じ符号を付して説明を割愛する。図９（ａ）は封印時の状態を示し、図８（ｂ）は封印時において、被覆部５０を透視した図である。本実施形態の場合、上記第３実施形態と同様、ダミー連結部４５を挿嵌部４３に接続する構成としているが、上記第１、第２実施形態のように開口部４２の内壁に接続する構成としてもよい。
【００５４】
図９の例では、封印具４１は被覆部を有せず、別部材の被覆部５０が設けられている。被覆部５０は開口部を有した板状をなし、その背面に設けた固定ピン５１が、上ケース部材２１に設けた嵌合孔（不図示）に嵌合することで上ケース部材２１に固定される。被覆部５０を取り外す場合、固定ピン５１が破断して上ケース部材２１に設けた嵌合孔（不図示）にその痕跡が残るようにすることが望ましい。
【００５５】
図９（ｂ）に示すように、被覆部５０は非連結部分４５ａを覆って隠蔽している。このように被覆部５０は封印具４１とは別に設けてもよい。なお、本実施形態の場合、連結部４４は被覆部５０に覆われない構成としているが、上記第１乃至第３実施形態のように連結部４４の一部も覆われる構成としてもよい。
【００５６】
＜第５実施形態＞
上記第１乃至第４実施形態では、封印具４１は上ケース部材２１側の構成と嵌合するもので、下ケース部材２２側の構成と嵌合する形式の封印構造ではないが、下ケース部材２２側の構成と嵌合する形式の封印構造にも本発明は適用可能である。
【００５７】
図１０は、封印具４１が下ケース部材２２側の構成と嵌合する形式の封印構造を示す説明図（断面図）である（封印時）。上記第１実施形態の構成に対応する構成については同じ符号を付している。封印具４１は、被覆部４１１、挿入部４１２を備え、挿入部４１２の先端にかえし部４１２’を有している。上ケース部材２１、下ケース部材２２には、開口部４２がそれぞれ形成されている。そして、挿嵌部４３は上ケース部材２１側の部分４３１と下ケース部材２２側の部分４３２とから形成されている。また、連結部４４は、上ケース部材２１側の部分４４１と、下ケース部材２２側の部分４４２とから形成され、ダミー連結部４５も、上ケース部材２１側の部分４５１と、下ケース部材２２側の部分４５２とから形成されている。非連結部分４５ａは本実施形態の場合、挿嵌部４３側に形成されている。
【００５８】
しかして、封印具４１を図１０に示すように挿嵌部４１２に挿入することで、封印具４１の先端のかえし部４１２’が挿嵌部４３の下端に係合し、封印具４１が抜けなくなることで、上ケース部材２１と下ケース部材２２とが分離不能となる。
【００５９】
開封する場合は、連結部４４（部分４４１と部分４４２との双方）を切断すればよい。被覆部４１１は非連結部分４５ａを覆っており、連結部４４とダミー連結部４５との区別を困難としている。なお、本実施形態と上記各実施形態とは適宜組み合わせることができることは言うまでもない。
【００６０】
＜第６実施形態＞
上記第１乃至第５実施形態では、基板ケース２０を適用対象としたが、その他の遊技台構成部品を適用対象としてもよい。図１１（ａ）及び（ｂ）はケーブルコネクタに適用した例を示す。
【００６１】
同図の例では、フラットケーブル６３（図１１（ｂ）においては図示省略）の端部に圧着されるケーブルコネクタ６３ａと接続されるケーブルコネクタ６２を、コネクタカバー部材６０、６１で封印する例を示している。ケーブルコネクタ６２は、そのレバー６２ａの操作により、ケーブルコネクタ６３ａとの係合及び解除ができる。
【００６２】
コネクタカバー部材６０、６１は、係合部６４、６４で係合してケーブルコネクタ６２を挟み込むようにして装着される。封印構造７０は、封印具７１、挿嵌部７３を備える。封印具７１は被覆部７１１を備える。挿嵌部７３はコネクタカバー部材６０に形成された開口部７２内に配置され、２つの連結部７４を介して開口部７２の内壁に接続されている。ダミー連結部７５は、開口部７２の内壁と接続されて挿嵌部７３とは非接続であり、この非接続部分は被覆部７１１に覆われて隠蔽される(図１１（ａ））。コネクタカバー部材６１には、封印具７１の先端が挿入される孔７６が形成されている。
【００６３】
封印時には、図１１（ａ）の態様となり、封印具７１は挿嵌部７３に嵌合して抜き出すことはできない。また、封印具７１の先端は孔７６に挿入されているため、コネクタカバー部材６０、６１を左右に分離しようとすると封印具７１が孔７６に引っかかるため、分離できない。開封時には、連結部７４を切断して挿嵌部７３と共に封印具７１を取り外すことにより行う。連結部７４を切断する際、誤ってダミー連結部７５を切断すると、その痕跡が残り、不正行為が発覚する。
【図１】
2011143178.tif 000003
【図２】
2011143178.tif 000004
【図３】
2011143178.tif 000005
【図４】
2011143178.tif 000006
【図５】
2011143178.tif 000007
【図６】
2011143178.tif 000008
【図７】
2011143178.tif 000009
【図８】
2011143178.tif 000010
【図９】
2011143178.tif 000011
【図１０】
2011143178.tif 000012
【図１１】
2011143178.tif 000013